(57)【特許請求の範囲】
【請求項１】
枠と、障子と、障子のロックとを備え、ロックは、枠に取付けたベース部と、ベース部に軸着した操作アームとを有し、操作アームは、溝状の嵌合部を有する操作部材と、ベース部との軸着部とは別に設けてあり嵌合部と同じ方向に延設した被嵌合部を溝状の嵌合部に嵌合することで操作部材に固定してあり障子側と係合する係合部材とからなり、係合部材は、複数種類のうちから選択自在であることを特徴とする建具。
【請求項２】
枠と、障子と、障子のロックとを備え、ロックは、枠に取付けたベース部と、ベース部に軸着した操作アームとを有し、操作アームは、溝状の嵌合部を有する操作部材と、ベース部との軸着部とは別に設けてあり嵌合部と同じ方向に延設した被嵌合部を溝状の嵌合部に嵌合することで操作部材に固定してあり障子側と係合する係合部材とからなり、係合部材は、障子と直接係合するものと、ロック装置の連動棒と係合するものを選択自在であることを特徴とする建具。
【発明の詳細な説明】
【技術分野】
【０００１】
本発明は、障子を閉鎖状態で施錠するロック付きの建具に関する。
【背景技術】
【０００２】
たてすべり出し窓や横すべり出し窓等の窓では、障子を閉鎖した状態で施錠するロックを備えている。従来、そうしたロックは、たてすべり出し窓、横すべり出し窓といった窓種毎に、及び障子を開閉操作するための操作部の形態毎に、それぞれ設計・製作されており（例えば、非特許文献１参照。）、部材の兼用化による意匠性の統一やコスト削減が求められている。
【先行技術文献】
【特許文献】
【０００３】
【非特許文献１】三協立山株式会社 三協アルミ社発行のカタログ「マディオＰ  在来／２×４  総合カタログ」（カタログＮｏ．ＳＴＪ０９５３Ａ ＴＳ．１４．０２−２５０）、２０１４年２月、ｐ．４６５
【発明の概要】
【発明が解決しようとする課題】
【０００４】
本発明は以上に述べた実情に鑑み、部材の兼用化による意匠性の統一やコスト削減が可能な建具の提供を目的とする。
【課題を解決するための手段】
【０００５】
上記の課題を達成するために請求項１記載の発明による建具は、枠と、障子と、障子のロックとを備え、ロックは、枠に取付けたベース部と、ベース部に軸着した操作アームとを有し、操作アームは、溝状の嵌合部を有する操作部材と、ベース部との軸着部とは別に設けてあり嵌合部と同じ方向に延設した被嵌合部を溝状の嵌合部に嵌合することで操作部材に固定してあり障子側と係合する係合部材とからなり、係合部材は、複数種類のうちから選択自在であることを特徴とする。
【０００６】
請求項２記載の発明による建具は、枠と、障子と、障子のロックとを備え、ロックは、枠に取付けたベース部と、ベース部に軸着した操作アームとを有し、操作アームは、溝状の嵌合部を有する操作部材と、ベース部との軸着部とは別に設けてあり嵌合部と同じ方向に延設した被嵌合部を溝状の嵌合部に嵌合することで操作部材に固定してあり障子側と係合する係合部材とからなり、係合部材は、障子と直接係合するものと、ロック装置の連動棒と係合するものを選択自在であることを特徴とする。
【発明の効果】
【０００７】
請求項１記載の発明による建具は、ベース部と、操作アームの操作部材を共通とし、操作アームの係合部材を替えることで、窓種や障子の大きさ、施錠位置等に応じたロックを形成することができ、部材の兼用化による意匠性の統一やコスト削減が可能である。
【０００８】
請求項２記載の発明による建具は、ベース部と、操作アームの操作部材を共通とし、操作アームの係合部材を替えることで、異なる窓種のロックを形成できるので、部材の兼用化による意匠性の統一やコスト削減が可能である。係合部材は、障子と直接係合するものと、ロック装置の連動棒と係合するものを選択自在であるため、１点ロック仕様と２点ロック仕様の何れにも対応できる。
【図面の簡単な説明】
【０００９】
【図１】第１実施形態の建具のハンドル取付部を拡大して示す縦断面図である。
【図２】本発明の建具の第１実施形態（横すべり出し窓）を示す縦断面図である。
【図３】第１実施形態の建具の横断面図である。
【図４】第１実施形態の建具の室内側正面図である。
【図５】（ａ）は第１実施形態の建具における障子のロックを示す平面図であり、（ｂ）は同ロックの側面図である。
【図６】本発明の建具の第２実施形態（たてすべり出し窓）を示す縦断面図である。
【図７】第２実施形態の建具の横断面図である。
【図８】第２実施形態の建具の室内側正面図である。
【図９】第２実施形態の建具における障子のロックを示す側面図であり、（ａ）は施錠状態、（ｂ）は解錠状態を示す。
【図１０】（ａ）は図９のＡ−Ａ断面図、（ｂ）は図９のＢ−Ｂ断面図である。
【図１１】たてすべり出し窓用のロック機構の他の実施形態を示す側面図である。
【図１２】（ａ）はたてすべり出し窓用のロック機構のさらに別の実施形態を示す平面図、（ｂ）は同ロック機構の側面図である。
【図１３】各実施形態の建具のロックを対比して示す側面図である。
【図１４】ハンドル取付部の他の実施形態を示す縦断面図である。
【発明を実施するための形態】
【００１０】
以下、本発明の実施の形態を図面に基づいて説明する。図１〜４は、本発明の建具の第１実施形態であって、住宅用の横すべり出し窓を示している。本建具は、躯体開口部に取付けられる枠１と、枠１に開閉自在に支持した障子２と、枠１の室内側に設置した網戸５７とを備えている。
【００１１】
枠１は、図２，３に示すように、上枠１１と下枠１２と左右の竪枠１３，１３とを枠組みして構成してある。上枠１１と下枠１２と竪枠１３は、それぞれアルミニウム合金の押出形材よりなる金属枠部１４，１５，１６と、金属枠部１４，１５，１６の室内側の露出部分を覆う樹脂の押出形材よりなる樹脂カバー１７，５，１８とで構成されている。
障子２は、上框１９と下框２０と左右の竪框２１，２１とを四周框組みし、各框の内周側に形成した溝２２内に複層ガラス２３をグレチャン２４を介して嵌め込んである。各框１９，２０，２１は、室外側部がアルミ形材２５で形成され、室内側部が樹脂形材２６で形成してある。障子２は、図３に示すように、竪枠１３の金属枠部１６と竪框２１の金属部２５との間に配置されたフリクションステー２７により枠１と連結され、室外側にすべり出しつつ横軸回りに回動して開くようになっている。竪枠１３の金属枠部１６の内周側面とフリクションステー２７との間には、アルミ形材よりなる竪枠補助材２８を介在させてある。
下枠１２の室内側には、図１，２に示すように、ハンドル（いわゆるオペレータハンドル）３が設けてあり、このハンドル３を回転操作することで、障子２を開閉できるようになっている。
【００１２】
下枠１２の金属枠部１５は、図１に示すように、中空部を複数有する形材で構成され、その上面は室内側に向かって段々に高くなった階段状となっており、室内側の下枠上面２９はほぼフラットに形成され、そのフラットな下枠上面２９にハンドル取付金具４が取付けてある。ハンドル取付金具４は、横壁３０と縦壁３１とを有する断面略Ｌ字形となっており、横壁３０は室外側端部を外周側に折り曲げて係止片３２が設けられ、その係止片３２を下枠上面２９の室外側の縁に係止して位置決めし、内周側からのネジ３３で横壁３０を下枠上面２９に固定している。下枠上面２９のハンドル取付金具４から室内側に少し離間した位置には、樹脂カバー５を取付けるための係止片３４が内周側に突出して形成され、そのさらに室内側には樹脂カバー５の係止溝３５が形成してある。
【００１３】
下枠の樹脂カバー５は、図１に示すように、ハンドル取付金具４の室内側を覆う室内側部材３６と、ハンドル取付金具４の内周側を覆う内周側部材３７の２部材で構成してある。
室内側部材３６は、下枠１２の金属枠部１５に形成された係止片３４と係止溝３５とに内周側から係止して取付けられ、額縁３８に固定されるアングル部３９と、アングル部３９の室外側端部より内周側に立ち上がる見付部４０とを一体に有している。見付部４０は、内周側と外周側の端部とに折り返し部４１ａ，４１ｂを有する室外側が開放したリップ溝形となっている。
内周側部材３７は、室内側部材３６の見付部４０の折り返し部４１ａ，４１ｂの縁に室外側から係止して取付けられ、同見付部４０の開放部を塞ぐ板状部４２と、板状部４２より室外側に延出する見込み部４３を有している。樹脂カバー５は、室内側部材３６の見付部４０と内周側部材３７の板状部４２とで、ハンドル３の取付部の上下方向に亘る中空部４４が形成されている。また、内周側部材３７の見込み部４３は、見込み方向の略全長に亘る中空部４５を有している。見込み部４３の室外側端部は、障子２に近接している。より詳細には、見込み部４３の室外側端部には室外側に向かうにつれて内周側に若干傾斜して延びる軟質のヒレ片４６を有しており、ヒレ片４６の先端部が障子下框２０の内周側面２０ａの内周側に重なっている。ヒレ片４６の先端部と障子下框２０の内周側縁部との間には、２ｍｍ以下の隙間４７が形成されている。樹脂カバー５の内周側面５ａと障子下框２０の内周側面２０ａとは、同面になっている。ハンドル取付金具４の縦壁３１は、樹脂カバー５の室外側面に当接ないし近接している。
【００１４】
ハンドル３は、図１に示すように、台座部４８を下枠１２の樹脂カバー５を貫通してハンドル取付金具４の縦壁３１に当接し、室内側からのネジ４９で固定してある。樹脂カバー５の見付部４０とハンドル３の台座部４８との間の隙間は、パッキン５０で塞いである。
【００１５】
上枠１１と竪枠１３に取付けられる樹脂カバー１７，１８は、図２，３に示すように、額縁３８に固定されるアングル部５１と、内周側に張り出す張り出し部５２を有しており、張り出し部５２は複数の中空部を有している。張り出し部５２の内周側面５２ａは、障子２の上框１９及び竪框２１の内周側面１９ａ，２１ａと略同面となっており、障子２の框１９，２０，２１は樹脂カバー１７，５，１８に隠れて見えないようになっている。
【００１６】
以上に述べたように本建具は、下枠１２の内周側見込み面にハンドル取付金具４を取付け、ハンドル取付金具４にハンドル３を取付けたことで、下枠１２の室内側に立上げ片を設ける必要がなく、しかもハンドル取付金具４の内周側及び室内側を覆う樹脂カバー５が下枠１２の長手方向に設けてあるので、ハンドル取付金具４から室内に冷気が伝わるのを防止できるため、断熱性能が向上する。さらに、樹脂カバー５は、ハンドル取付金具４の内周側を覆う見込み部４３の室外側端部が障子２に近接していることで、樹脂カバー５と障子２との間から冷気が室内に流入するのを防げるため、断熱性能がより一層向上する。
ハンドル３の台座部４８を、樹脂カバー５を貫通してハンドル取付金具４に固定してあり、ハンドル取付金具４の室内側に、ハンドル取付部の上下方向に亘る中空部４４が形成されているため、ハンドル取付部における見込み方向の熱伝導を効果的に抑制することができる。さらに樹脂カバー５は、ハンドル取付金具４の内周側を覆う見込み部４３に室内外方向に亘る中空部４５が形成してあるので、見込み方向の熱伝導を効果的に抑制することができる。
さらに本建具は、樹脂カバー５の見込み部４３の室外側端部に内周側に傾斜したヒレ片４６を有し、ヒレ片４６の先端部が障子下框２０の内周側縁部と重なっていることで、たてすべり出し窓の場合に障子２の戸先側が下に下がり、障子下框２０の内周側面２０ａと樹脂カバー５の内周側面５ａとの間に段差が生じたとしても、その段差を隠すことができる。また、ヒレ片４６と障子下框２０の内周側縁部との間に隙間４７が設けてあることで、障子２の室内側に結露水が生じたとしても、結露水をヒレ片４６で堰き止めることなく流下させられるので、結露水の排水性を良好に確保することができる。さらに、ヒレ片４６と障子下框２０の内周側縁部との間の隙間４７の大きさを２ｍｍ以下とすることで、枠障子間の空間５３を密閉空間とみなすことができ、そうして枠障子間に密閉空間５３を形成することで、断熱性をより一層向上させられる。
下枠１２の樹脂カバー５は、ハンドル取付金具４の室内側を覆う室内側部材３６と、ハンドル取付金具４の内周側を覆う内周側部材３７とに分割して構成してあり、室内側部材３６を枠１に取付けたままで内周側部材３７のみを着脱することができるので、メンテナンス性が良い。
【００１７】
図１４は、ハンドル取付金具４の他の実施形態を示している。このハンドル取付金具４は、縦壁３１を中間部で室内側にクランク状に曲げ、樹脂カバー５の見付部４０の中空部４４内に差し入れてあり、ハンドル取付金具４は樹脂カバー５と接触していない。ハンドル３は、台座部４８を樹脂カバー５に呑み込ませてある。
本実施形態によれば、ハンドル取付金具４が樹脂カバー５と接触していないことで、ハンドル取付金具４から樹脂カバー５に冷熱が直接伝わらないため、断熱性が向上する。
【００１８】
本建具は、図４，５に示すように、障子２を閉鎖した状態で施錠するロック６を、下枠１２の室内側に備えている。ロック６は、樹脂カバー５に室内側から埋め込んで取付けられる樹脂製のベース部７と、ベース部７に挿通して軸５４で回動可能に軸着された操作アーム８とを備えている。ベース部７は、下枠１２の金属枠部１５の内周側面に取付けた取付金具５５にネジ５６で固定してある。
操作アーム８は、ベース部７から室内側に突出する樹脂製の操作部材９と、ベース部７から室外側に突出する金属製の係合部材１０ａとからなる。係合部材１０ａは、操作部材９に形成された溝状の嵌合部５８に嵌合することで、操作部材９に固定してある。係合部材１０ａは、室外側に鉤型のフック部５９を有し、室内側から操作アーム８を左右に操作することでフック部５９を障子下框２０に取付けたロックピン６０に係脱させ、障子２を施錠・解錠できる。係合部材１０ａは、後述するように、窓種の違い等に応じて取替えられるものである。
【００１９】
図６〜８は、本発明の建具の第２実施形態であって、住宅用のたてすべり出し窓の場合を示している。第１実施形態とは、障子２と枠１とを繋ぐフリクションステー２７が、上枠１１と上框１９間、下枠１２と下框２０間に設けてあり、障子２が縦軸回りに回動して開く点が異なる。ハンドル３の取付け方、樹脂カバー５の構造など、大部分の構成は第１実施形態と共通である。なお、第１・第２実施形態は、各枠材１１，１２，１３、各框１９，２０，２１及び樹脂カバー５，１７，１８に、同一の断面形状のものを使用している。
【００２０】
以上に述べたように、本発明に係るハンドル３の取付構造は、横すべり出し窓とたてすべり出し窓の何れにも用いることができ、同一の作用効果を奏するものである。
【００２１】
第２実施形態の建具は、図７〜１０に示すように、戸先側（室内側から見て右側）の竪枠１３と竪框２１間にロック装置６１を備えており、竪枠１３の下部室内側にロック装置６１を操作するためのロック６を備えている。
ロック装置６１は、図７，９に示すように、竪枠１３の長手方向に沿って摺動する連動棒６２に、竪框２１に取付けたロックピン６３と係脱するロック受け６４が取付けてあり、連動棒６２が上下動することでロック受け６４がロックピン６３に係脱し、障子２を施錠・解錠できる。
【００２２】
ロック６は、第１実施形態のものと同様に、竪枠１３の樹脂カバー１８に室内側から埋め込んで取付けられる樹脂製のベース部７と、ベース部７に軸５４で回動可能に軸着された操作アーム８とを備えている。操作アーム８は、樹脂製の操作部材９と、操作部材９に固定した金属製の係合部材１０ｂとからなる。係合部材１０ｂは、連動棒６２の下端部に取付けた連動ピン６５が係合する二股状の係合溝６６を室外側端部に備えており、図９に示すように、室内側から操作アーム８を上下に動かすと、それに連動して連動棒６２が上下動し、障子２の施解錠がなされる。このように、連動棒６２を介して障子２をロックすることで、操作部（操作アーム８）を操作しやすい位置、例えば竪枠１３の下部に設けながら、障子２をその操作部から離間したより有利な位置で施錠することができる。
本ロック６は、ベース部７と操作アーム８の操作部材９とが第１実施形態のものと共通であり、係合部材１０ｂのみを取替えている。
【００２３】
図１１は、たてすべり出し窓用のロック機構の他の実施形態を示している。先に説明した実施形態では、障子２を１点でロックしていたが、本実施形態のものはロックピン６３とロック受け６４が上下に２つずつ設けてあり、障子２を２点でロックするようにしている。連動棒６２を上下に動かすためのロック６は、図９に示すものと同じものを使用している。このように障子を２点でロックすることで、上下寸法が大きい障子２であっても確実に施錠することができる。
【００２４】
図１２は、たてすべり出し窓用のロック機構のさらに別の実施形態を示している。この例は、連動棒６２を用いるのではなく、ロック６の操作アーム８からのびる係合部材１０ｃを障子２の竪框２１に取付けたロックピン６３に直接係脱させて、障子２の施解錠を行うようにしている。係合部材１０ｃは、図５に示す横すべり出し窓の場合の係合部材１０ａと形が似ているが、ロックピン６３がより室外側に離れた位置にある関係で、横すべり出し窓の場合の係合部材１０ａよりも長さが長くなっている。ベース部７と操作アーム８の操作部材９は、他のロック６と共通である。
【００２５】
図１３は、これまでに説明した３つのタイプのロック６を対比して示すものであり、（ａ）は横すべり窓用で障子２と直接係合するもの、（ｂ）はたてすべり出し窓用で連動棒６２を介して施解錠を行うもの、（ｃ）はたてすべり出し窓用で障子２と直接係合するものを示している。これらのロック６は、ベース部７と操作アーム８の操作部材９が共通であり、係合部材１０ａ，１０ｂ，１０ｃのみを取替えたものである。
【００２６】
以上に述べたように本発明の建具は、ベース部７と、操作アーム８の操作部材９を共通とし、操作アーム８の係合部材１０ａ，１０ｂ，１０ｃを替えることで、窓種や障子２の大きさ、施錠位置等に応じたロック６を形成することができ、部材の兼用化による意匠性の統一やコスト削減が可能である。係合部材１０ａ，１０ｂ，１０ｃは、障子２と直接係合するものと、ロック装置６１の連動棒６２と係合するものを選択自在であるため、１点ロック仕様と２点ロック仕様の何れにも対応できる。さらに本建具は、横すべり出し窓とたてすべり出し窓とで、枠１や障子２の框１９，２０，２１、樹脂カバー５，１７，１８を共通化しているので、より一層の部材の共通化による意匠性の統一とコスト削減が図られている。
【００２７】
本発明は以上に述べた実施形態に限定されない。枠、障子及びハンドルの具体的な構造は問わない。ロックを構成する各部品の形状は、適宜変更することができる。係合部材は、少なくとも２種類あればよく、その係合部材が何れも障子と直接係合するものであってもよい。障子の開き方、障子を枠に支持するためのステー等の構造は任意であり、窓種としては、横すべり出し窓とたてすべり出し窓に限定されず、例えばルーバー窓やオーニング窓等に適用することもできる。
【符号の説明】
【００２８】
１  枠
２  障子
３  ハンドル
４  ハンドル取付金具
５  樹脂カバー
６  ロック
７  ベース部
８  操作アーム
９  操作部材
１０ａ，１０ｂ，１０ｃ  係合部材
４３  見込み部（ハンドル取付金具の内周側を覆う部分）
６１  ロック装置
６２  連動棒
【図１】
0006566680.tif 000002
【図２】
0006566680.tif 000003
【図３】
0006566680.tif 000004
【図４】
0006566680.tif 000005
【図５】
0006566680.tif 000006
【図６】
0006566680.tif 000007
【図７】
0006566680.tif 000008
【図８】
0006566680.tif 000009
【図９】
0006566680.tif 000010
【図１０】
0006566680.tif 000011
【図１１】
0006566680.tif 000012
【図１２】
0006566680.tif 000013
【図１３】
0006566680.tif 000014
【図１４】
0006566680.tif 000015